【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
二次元画像データを、空中像面に二次元像として形成する表示用データに変換する変換部と、
複数の画素が二次元状に配列され、前記表示用データに応じて前記複数の画素から光を射出する表示部と、
前記複数の画素から射出された光を合成し、前記二次元像を前記空中像面に形成する複数のマイクロレンズが二次元状に配列されたマイクロレンズアレイと、を備える画像表示装置。
【請求項２】
二次元画像データを、空中像面に二次元像として形成する二次元表示用データに変換する二次元画像変換部と、
三次元画像データを、三次元像として表示する三次元表示用データに変換する三次元画像変換部と、
複数の画素が二次元状に配列され、前記二次元表示用データおよび前記三次元表示用データに応じて前記複数の画素から光を射出する表示部と、
前記複数の画素から射出された光を合成し、前記空中像面での前記二次元像の形成と前記三次元像の表示とを行う複数のマイクロレンズが二次元状に配列されたマイクロレンズアレイと、を備える画像表示装置。
【請求項３】
画像データを二次元情報を有する第１の表示用画像データに変換する第１の画像変換部と、
複数の表示画素が二次元状に配列され、前記第１の表示用画像データに応じて前記複数の表示画素から光束を射出する表示部と、
前記複数の表示画素から射出された光束が合成されて三次元像または二次元像を形成する複数のマイクロレンズが二次元状に配列されたマイクロレンズアレイと、を備える画像表示装置。
【請求項４】
請求項３に記載の画像表示装置において、
前記画像データを三次元情報を有する第２の表示用画像データに変換する第２の画像変換部を備え、
前記表示部は前記第１および第２の表示用画像データに応じて前記複数の表示画素から光束を射出する画像表示装置。
【請求項５】
請求項４に記載の画像表示装置において、
前記三次元像と前記二次元像とを同一平面に表示させる画像表示装置。
【請求項６】
画像データを入力する入力部と、
前記画像データを二次元情報を有する第１の表示用画像データに変換する第１の画像変換部と、
複数の表示画素が二次元状に配列され、前記第１の表示用画像データに応じて前記複数の表示画素から光束を射出する表示部と、
前記複数の表示画素から射出された光束が合成されて三次元像または二次元像を形成する複数のマイクロレンズが二次元状に配列されたマイクロレンズアレイとを備える三次元画像表示装置。
【請求項７】
請求項６に記載の三次元画像表示装置において、
前記画像データを三次元情報を有する第２の表示用画像データに変換する第２の画像変換部をさらに備え、
前記表示部は、前記第１および第２の表示用画像データに応じて前記複数の表示画素から光束を射出する三次元画像表示装置。
【請求項８】
請求項７に記載の三次元画像表示装置において、
前記三次元像と前記二次元像とを同一平面に表示させる三次元画像表示装置。
【請求項９】
二次元配置された複数の表示画素を含む表示画素群が複数個、二次元配置された表示部と、
前記複数の表示画素群の各々に対応して二次元配置され、対応する表示画素群を投影する複数の光学部材と、
三次元画像データを出力する三次元画像データ出力部と、
前記三次元画像データに基づいて、前記表示画素を制御して前記三次元画像データを前記光学部材を介して三次元画像として表示する第１表示制御部と、
二次元画像データを出力する二次元画像データ出力部と、
前記二次元画像データを複数の二次元部分画像データに分割し、前記二次元部分画像データの各々を複数の二次元表示用部分画像データに変換する変換部と、
前記二次元表示用部分画像データに基づいて、当該複数の二次元表示用部分画像データにそれぞれ対応する前記表示画素群を制御して、前記二次元画像データのそれぞれを、前記複数の二次元表示用部分画像データに対応する複数の前記表示画素群に関する前記光学部材による投影像の合成によって、二次元画像として表示する第２表示制御部と、
を備える三次元画像表示装置。
【請求項１０】
二次元配置された複数の表示画素を含む表示画素群が複数個、二次元配置された表示部と、
前記複数の表示画素群の各々に対応して二次元配置され、対応する表示画素群を投影する複数の光学部材と、
三次元画像データを出力する三次元画像データ出力部と、
前記三次元画像データに基づいて、前記表示画素を制御して前記三次元画像データを前記光学部材を介して三次元画像として表示する第１表示制御部と、
二次元画像データを出力する二次元画像データ出力部と、
前記二次元画像データを複数の二次元部分画像データに分割し、前記二次元部分画像データの各々を複数の二次元表示用部分画像データに変換する変換部と、
前記二次元表示用部分画像データに基づいて、当該複数の二次元表示用部分画像データにそれぞれ対応する前記表示画素群を制御して、前記二次元画像データのそれぞれを、前記複数の二次元表示用部分画像データに対応する複数の前記表示画素群に関する前記光学部材による投影像の合成によって、二次元画像として表示する第２表示制御部と、
前記表示部を制御して、前記三次元画像と前記二次元画像とを同一画面に表示させる第３表示制御部と、
を備える三次元画像表示装置。
【請求項１１】
請求項９に記載の三次元画像表示装置において、
前記表示部を制御して、前記三次元画像と前記二次元画像とを同一画面に表示させる第３表示制御部をさらに備える三次元画像表示装置。
【請求項１２】
請求項９乃至１１の何れか一項に記載の三次元画像表示装置において、
前記三次元画像データに含まれる二次元情報を抽出する抽出部をさらに備え、
前記二次元画像データ出力部は、前記抽出部により抽出された前記二次元情報を前記二次元画像データとして出力する三次元画像表示装置。
【請求項１３】
請求項９乃至１２の何れか一項に記載の三次元画像表示装置において、
前記変換部は、前記二次元表示用部分画像データが再現された二次元部材により構成され、前記光学部材の光軸方向に関して前記光学部材と前記表示画素との間に配置される三次元画像表示装置。
【請求項１４】
請求項９乃至１３の何れか一項に記載の三次元画像表示装置において、
前記光学部材は、前記二次元画像を当該光学部材のレンズ面、または当該光学部材の焦点距離以上離れた空中の像平面に投影する三次元画像表示装置。
【請求項１５】
請求項９乃至１４の何れか一項に記載の三次元画像表示装置において、
前記光学部材は、マイクロレンズまたはシリンドリカルレンズにより構成される三次元画像表示装置。
【手続補正２】
【補正対象書類名】明細書
【補正対象項目名】発明の名称
【補正方法】変更
【補正の内容】
【発明の名称】画像表示装置および三次元画像表示装置
【手続補正３】
【補正対象書類名】明細書
【補正対象項目名】０００１
【補正方法】変更
【補正の内容】
【０００１】
本発明は、画像表示装置および三次元画像表示装置に関する。
【手続補正４】
【補正対象書類名】明細書
【補正対象項目名】０００５
【補正方法】変更
【補正の内容】
【０００５】
第１の態様による画像表示装置は、二次元画像データを、空中像面に二次元像として形成する表示用データに変換する変換部と、 複数の画素が二次元状に配列され、前記表示用データに応じて前記複数の画素から光を射出する表示部と、前記複数の画素から射出された光を合成し、前記二次元像を前記空中像面に形成する複数のマイクロレンズが二次元状に配列されたマイクロレンズアレイと、を備える。
第２の態様による画像表示装置は、二次元画像データを、空中像面に二次元像として形成する二次元表示用データに変換する二次元画像変換部と、三次元画像データを、三次元像として表示する三次元表示用データに変換する三次元画像変換部と、複数の画素が二次元状に配列され、前記二次元表示用データおよび前記三次元表示用データに応じて前記複数の画素から光を射出する表示部と、前記複数の画素から射出された光を合成し、前記空中像面での前記二次元像の形成と前記三次元像の表示とを行う複数のマイクロレンズが二次元状に配列されたマイクロレンズアレイと、を備える。
第３の態様による画像表示装置は、画像データを二次元情報を有する第１の表示用画像データに変換する第１の画像変換部と、複数の表示画素が二次元状に配列され、前記第１の表示用画像データに応じて前記複数の表示画素から光束を射出する表示部と、前記複数の表示画素から射出された光束が合成されて三次元像または二次元像を形成する複数のマイクロレンズが二次元状に配列されたマイクロレンズアレイと、を備える。
第４の態様による三次元画像表示装置は、画像データを入力する入力部と、画像データを二次元情報を有する第１の表示用画像データに変換する第１の画像変換部と、複数の表示画素が二次元状に配列され、第１の表示用画像データに応じて複数の表示画素から光束を射出する表示部と、複数の表示画素から射出された光束が合成されて三次元像または二次元像を形成する複数のマイクロレンズが二次元状に配列されたマイクロレンズアレイとを備える。
第５の態様による三次元画像表示装置は、二次元配置された複数の表示画素を含む表示画素群が複数個、二次元配置された表示部と、複数の表示画素群の各々に対応して二次元配置され、対応する表示画素群を投影する複数の光学部材と、三次元画像データを出力する三次元画像データ出力部と、三次元画像データに基づいて、表示画素を制御して三次元画像データを光学部材を介して三次元画像として表示する第１表示制御部と、二次元画像データを出力する二次元画像データ出力部と、二次元画像データを複数の二次元部分画像データに分割し、二次元部分画像データの各々を複数の二次元表示用部分画像データに変換する変換部と、二次元表示用部分画像データに基づいて、当該複数の二次元表示用部分画像データにそれぞれ対応する表示画素群を制御して、二次元画像データのそれぞれを、複数の二次元表示用部分画像データに対応する複数の表示画素群に関する光学部材による投影像の合成によって、二次元画像として表示する第２表示制御部と、を備える。
第６の態様による三次元画像表示装置は、二次元配置された複数の表示画素を含む表示画素群が複数個、二次元配置された表示部と、複数の表示画素群の各々に対応して二次元配置され、対応する表示画素群を投影する複数の光学部材と、三次元画像データを出力する三次元画像データ出力部と、三次元画像データに基づいて、表示画素を制御して三次元画像データを光学部材を介して三次元画像として表示する第１表示制御部と、二次元画像データを出力する二次元画像データ出力部と、二次元画像データを複数の二次元部分画像データに分割し、二次元部分画像データの各々を複数の二次元表示用部分画像データに変換する変換部と、二次元表示用部分画像データに基づいて、当該複数の二次元表示用部分画像データにそれぞれ対応する表示画素群を制御して、二次元画像データのそれぞれを、複数の二次元表示用部分画像データに対応する複数の表示画素群に関する光学部材による投影像の合成によって、二次元画像として表示する第２表示制御部と、表示部を制御して、三次元画像と二次元画像とを同一画面に表示させる第３表示制御部と、を備える。